(57)【要約】【課題】排水口に詰まる虞のない細かい障害物は雨水とともに排出させ、詰まる虞のあるより大きい障害物の流入を阻止し、円滑に雨水を排出する。【解決手段】樋または屋外床１１の排水口１０に設けられる詰まり防止具２を、外周枠４Ａの内側に細材３を架け渡した上枠４とこの上枠４と棒材５を介して接続される下枠６とを備えて構成し、上枠４と上下枠４、６の間とにそれぞれ、排水口１０に流入可能な大きさφｘに応じて予め通過を許容する空隙Ｓ１、Ｓ２を設定し、上枠４に設定される空隙Ｓ１を、細材３の配置によりほぼ同一形状に画成して形成するとともに、外周枠４Ａと下枠６との間に設定される空隙を、棒材５を等間隔で配置させ、これら棒材５間の間隔Ｓ２により形成した。下枠６には、脚７を設け、上枠４には、細材５を枠中心Ｏで交差させて放射状に延長した。【選択図】図１
2011017128.tif 000002
【特許請求の範囲】
【請求項１】
樋または屋外床の排水口に設けられ、水の通過を許容し障害物の排水口への流入を阻止する空隙が形成された詰まり防止具において、この空隙の大きさを、排水口の大きさに基づいて、排水口を塞ぐ虞のある障害物の大きさより小さく、排水口を塞ぐ虞のない障害物の大きさより大きく設定したことを特徴とする詰まり防止具。
【請求項２】
詰まり防止具を、内側に細材を架け渡した上枠とこの上枠と棒材を介して接続される下枠とを備えて構成し、
棒材を上下枠の外周に沿って等間隔で配置させ、
上面に設定される空隙を、細材の配置によりほぼ同一形状に画成して形成するとともに、
周面に設定される空隙を、棒材間の間隔により形成したことを特徴とする請求項１に記載の詰まり防止具。
【請求項３】
下枠には、排水口に差し込まれ排水管内面に圧接される脚が設けられることを特徴とする請求項２に記載の詰まり防止具。
【請求項４】
上枠の外周枠を円環状に形成するとともに、細材を枠中心で交差させて放射状に延ばして外周枠に接続したことを特徴とする請求項２または３に記載の詰まり防止具。
【請求項５】
上枠の外周枠を四角形状に形成するとともに、細材を交差させ外周枠の辺に平行に延ばして外周枠に接続したことを特徴とする請求項２または３に記載の詰まり防止具。
【請求項６】
空隙により通過を許容される障害物が、排水口の大きさより小さい土、砂、塵埃、腐葉土または枯葉のうちいずれかの小細片であることを特徴とする請求項１または２に記載の詰まり防止具。
【請求項７】
棒材の高さを異ならせたことを特徴とする請求項２ないし６のうちいずれか１に記載の詰まり防止具。
【発明の詳細な説明】
【技術分野】
【０００１】
本発明は、詰まり防止具に関するものである。
【背景技術】
【０００２】
従来から樋や屋外床の排水口には、水の通過を許容し障害物の排水口への流入を阻止する詰まり防止具が設けられる。このような詰まり防止具は、腐葉土や枯葉等の小細片や紙片、合成樹脂製品、缶や壜等の流入を阻止するようになっている。例えば、建築構造物の雨水用樋において、樋本体の一部に形成された排水口に排水パイプを下向きに接続し、全体的に多数の小孔を有するカバーをその排水パイプの上端部に配置して、雨水がそのカバーの小孔を通ってから排水口を経て排水パイプ内に流入するようにした詰まり防止具が提案されている（特許文献１参照。）。また、被覆冶具を、中央が外側に膨らんでいる上面と、この上面と底面との間にごみ避け網を取り付け、本体から脚部を突設して形成し、この被覆冶具を、水平方向に設置されている軒樋と垂直方向に設置されている竪樋との交差部の上方に取り付け、軒樋に溜まった枯葉等のごみが雨水とともに竪樋に流入するのを防止するようにしたものが知られている（特許文献２参照。）。
【先行技術文献】
【特許文献】
【０００３】
【特許文献１】特開平６−１１７０６５号公報
【特許文献２】実用新案登録第３１３９１９３号公報
【発明の概要】
【発明が解決しようとする課題】
【０００４】
しかしながら、上記従来の詰まり防止具のうち、特許文献１に記載のものでは、小孔を有するカバーにより、また、特許文献２に記載のものでは、ごみ避け網によりそれぞれごみの流入を阻止するようになっている。このため、流入が阻止された枯葉などのごみや紙片などがカバーや網に溜まると、大雨などの際、雨水がスムーズに排水口に排出されず、樋や屋外床に雨水が溜まりオーバーフローしてしまうという問題がある。このため、駅舎や店舗などでは、利用者に迷惑をかけるだけでなく、エスカレータなどの運転にも支障をきたす虞がある。
【０００５】
本発明は、上記課題を解決するためになされたもので、排水口に詰まる虞のない細かい障害物は雨水とともに排出させ、詰まる虞のあるより大きい障害物のみを阻止し、円滑に雨水を排出することができる詰まり防止具を提供することを目的とするものである。
【課題を解決するための手段】
【０００６】
本発明の請求項１に係る詰まり防止具は、樋または屋外床の排水口に設けられ、水の通過を許容し障害物の排水口への流入を阻止する空隙が形成された詰まり防止具において、この空隙の大きさを、排水口の大きさに基づいて、排水口を塞ぐ虞のある障害物の大きさより小さく、排水口を塞ぐ虞のない障害物の大きさより大きく設定したことを特徴とするものである。
【０００７】
本発明の請求項１に係る詰まり防止具では、樋または屋外床の排水口に設けられ、水の通過を許容し障害物の排水口への流入を阻止する空隙が形成された詰まり防止具において、この空隙の大きさを、排水口の大きさに基づいて、排水口を塞ぐ虞のある障害物の大きさより小さく、排水口を塞ぐ虞のない障害物の大きさより大きく設定したことにより、排水口を塞いで詰まらせる虞のないより細かい障害物は雨水とともに排水口に排出させ、排水口を塞いで詰まらせる虞のあるより大きい障害物は排水口への流入が阻止されるので、雨水は円滑に排出される。
【０００８】
本発明の請求項２に係る詰まり防止具は、詰まり防止具を、内側に細材を架け渡した上枠とこの上枠と棒材を介して接続される下枠とを備えて構成し、棒材を上下枠の外周に沿って等間隔で配置させ、上面に設定される空隙を、細材の配置によりほぼ同一形状に画成して形成するとともに、周面に設定される空隙を、棒材間の間隔により形成したことを特徴とするものである。
【０００９】
本発明の請求項２に係る詰まり防止具では、詰まり防止具を、内側に細材を架け渡した上枠とこの上枠と棒材を介して接続される下枠とを備えて構成し、棒材を上下枠の外周に沿って等間隔で配置させ、上面に設定される空隙を、細材の配置によりほぼ同一形状に画成して形成するとともに、周面に設定される空隙を、棒材間の間隔により形成したことにより、排水口を塞いで詰まらせる虞のないより細かい障害物が雨水とともに上枠または上下枠間に流入してくると、これら細かい障害物は上枠に設定された空隙または棒材間の設定された間隙を通過して排水口に流入する。このため、これら細かい障害物は詰まり防止具に堆積することがない。排水口を塞いで詰まらせる虞のあるより大きい障害物が雨水とともに上枠または上下枠間に流入してくると、上枠の空隙または棒材間の間隙を通過することができないので、これらより大きい障害物は上枠、細材または棒材により流入が阻止されて残る。このため、排水口の上方には、上下枠、細材および棒材により外気と通じる空間が常に形成され、排水口はより大きい障害物により塞がれることがない。また、より大きい障害物は詰まり防止具周囲に集まるので、点検作業時、発見しやすく取り除き作業が容易になる。
【００１０】
本発明の請求項３に係る詰まり防止具は、下枠には、排水口に差し込まれ排水管内面に圧接される脚が設けられることを特徴とするものである。
【００１１】
本発明の請求項３に係る詰まり防止具では、下枠には、排水口に差し込まれ排水管内面に圧接される脚が設けられるようにしたことにより、排水口に脚を差し込むと、詰まり防止具は雨水による水流を受けても確実に排水口に係止され、排水口からずれにくくなる。
【００１２】
本発明の請求項４に係る詰まり防止具は、上枠の外周枠を円環状に形成するとともに、細材を枠中心で交差させて放射状に延ばして外周枠に接続したことを特徴とするものである。
【００１３】
本発明の請求項４に係る詰まり防止具では、上枠の外周枠を円環状に形成するとともに、細材を枠中心で交差させて放射状に延ばして外周枠に接続したことにより、円形の排水口に設置しやすい。
【００１４】
本発明の請求項５に係る詰まり防止具は、上枠の外周枠を四角形状に形成するとともに、細材を交差させ外周枠の辺に平行に延ばして外周枠に接続したことを特徴とするものである。
【００１５】
本発明の請求項５に係る詰まり防止具では、上枠の外周枠を四角形状に形成するとともに、細材を交差させ外周枠の辺に平行に延ばして外周枠に接続しことにより、排水口近傍の設置場所の形状や樋端部あるいは屋外床端部の形状に応じて用いることができる。
【００１６】
本発明の請求項６に係る詰まり防止具は、空隙により通過を許容される障害物が、排水口の大きさより小さい土、砂、塵埃、腐葉土または枯葉のうちいずれかの小細片であることを特徴とするものである。
【００１７】
本発明の請求項６に係る詰まり防止具では、空隙により通過を許容される障害物が、排水口の大きさより小さい土、砂、塵埃、腐葉土または枯葉のうちいずれかの小細片であることにより、土、砂、塵埃、腐葉土または枯葉のうちいずれかの小細片が雨水とともに流入してきても空隙を介して排水口への通過を許容するので、詰まることがない。また、排水口を塞ぐ大きさの障害物が流入してくると、上枠および上下枠間の棒材により排水口への流入がブロックされるとともに、排水口上方には空隙が確保されるので、小細片が雨水とともに流入してきても排水口への通過を許容し、詰まることがない。
【００１８】
本発明の請求項７に係る詰まり防止具は、棒材の高さを異ならせたことを特徴とするものである。
【００１９】
本発明の請求項７に係る詰まり防止具では、棒材の高さを異ならせたことにより、狭隘な場所など設置場所に制約があっても多種の詰まり防止具から選択して用いることができる。
【発明の効果】
【００２０】
本発明の請求項１に係る詰まり防止具は、樋または屋外床の排水口に設けられ、水の通過を許容し障害物の排水口への流入を阻止する空隙が形成された詰まり防止具において、この空隙の大きさを、排水口の大きさに基づいて、排水口を塞ぐ虞のある障害物の大きさより小さく、排水口を塞ぐ虞のない障害物の大きさより大きく設定したので、排水口に詰まる虞のない細かい障害物は雨水とともに排出させ、詰まる虞のあるより大きい障害物のみを阻止することができ、円滑に雨水を排出して、オーバーフローの発生を抑制することができる。
【図面の簡単な説明】
【００２１】
【図１】図１の（Ａ）および（Ｂ）はそれぞれ、本発明の第１の実施例に係る詰まり防止具の平面図および正面図説明図である。（実施例１）
【図２】図２は、図１の詰まり防止具の斜視図である。
【図３】図３は、図１の詰まり防止具を排水口に装着した状態を示す説明図である。
【図４】図４の（Ａ）および（Ｂ）はそれぞれ、本発明の変形例に係る詰まり防止具の平面図および正面図である。（実施例２）
【図５】図５は、本発明の第２の実施例に係る詰まり防止具の斜視図である。（実施例３）
【図６】図６の（Ａ）ないし（Ｃ）はそれぞれ、上枠の変形例を示す平面図である。（実施例４）
【発明を実施するための最良の形態】
【００２２】
細かい障害物は雨水とともに排出させ、詰まる虞のある大きい障害物のみを阻止し、円滑に雨水を排出するという目的を、樋または屋外床の排水口に設けられ、水の通過を許容し障害物の排水口への流入を阻止する空隙が形成された詰まり防止具おいて、この空隙の大きさを、排水口の大きさに基づいて、排水口を塞ぐ虞のある障害物の大きさより小さく、排水口を塞ぐ虞のない障害物の大きさより大きく設定し、詰まり防止具を、内側に細材を架け渡した上枠とこの上枠と棒材を介して接続される下枠とを備えて構成し、棒材を上下枠の外周に沿って等間隔で配置させ、上面に設定される空隙を、細材の配置によりほぼ同一形状に画成して形成するとともに、周面に設定される空隙を、棒材間の間隔により形成したことにより実現した。
【実施例１】
【００２３】
以下、図面に示す実施例により本発明を説明する。図１の（Ａ）および（Ｂ）はそれぞれ、本発明の第１の実施例に係る詰まり防止具を示す平面図および正面図である。上記実施例に係る詰まり防止具２は、樋または屋外床１１の排水口１０に設けられるようになっている。この詰まり防止具２は、円環状外周枠４Ａの内側に細材３を架け渡した上枠４とこの上枠４と棒材５を介して接続される円環状下枠６とを備えて構成される。外周枠４Ａと下枠６はそれぞれ、同一径（例えば、本実施例では、１３０mm）のステンレス製リングにより形成される。
【００２４】
上枠４には、細材３が枠中心Ｏで交差して放射状に延び延長端が外周枠４Ａに溶接される。細材３はステンレス製丸棒により構成される。細材３は、図１の（Ａ）に示すように、円環状外周枠４Ａの周方向に等間隔で配置され、細材３と外周枠４Ａとで空隙Ｓ１が画成されるようになっている。この空隙Ｓ１は、円形外周枠４Ａの半径にほぼ相当する直線２等辺と円形外周枠４Ａの円周の一部に相当する弧状の辺とにより画成される。
【００２５】
棒材５は、所定の長さ寸法Ｌ１（例えば、本実施例では、１００mm）を有し、細材３が外周枠４Ａと接続される部位毎に円環状枠４Ａ、６の周方向に沿って等間隔で配置され、上下端がそれぞれ外周枠４Ａと下枠６とに溶接されるようになっている。棒材５は、ステンレス製丸棒により構成される。棒材５は隣り合う棒材５間に所定の間隔（空隙）Ｓ２が設けられるようになっている。
【００２６】
下枠６には、図１の（Ａ）および（Ｂ）に示すように、排水口１０に差し込まれる脚７が設けられる。この脚７は折曲されて弾発復帰可能に形成され、排水口１０に差し込まれると、排水路の内壁に圧接するようになっている。このため、排水口１０上に露出する上下枠４、６や棒材５が雨水による水流を受けても確実に排水口１０に係止されるようになっている。
【００２７】
ところで、本実施例に係る詰まり防止具２は、上枠４の空隙Ｓ１を細材３の配置により設定するにあたり、排水口１０（口径φｘ、図３参照）を塞ぐ虞のある大きさに基づいて、すなわち、排水口１０の通過を許容することができるかどうかに基づいて、その空隙Ｓ１の大きさを設定している。つまり、障害物Ｄｓが、土、砂、塵埃、腐葉土または枯葉のうちいずれかのような自然由来物やゴルフボールなどの人工由来物のうち小細片であって、排水口１０はこれらの流入により詰まる虞がない内径φｘを有する場合、上枠４の空隙Ｓ１は、これら小細片の通過を許容する大きさに設定される。このため、雨水とともにこれら小細片が詰まり防止具２に流入してくると、上枠４の空隙Ｓ１は排水口１０への流入を許容するようになっている。同様に、棒材５間の間隔Ｓ２を棒材５の配置により設定するにあたり、排水口１０に流入可能な障害物Ｄｓの大きさに応じて予め通過を許容する大きさになるようにしている。すなわち、障害物Ｄｓが上記のような小細片であって、排水口１０がこれら小細片の流入により詰まる虞がない内径φｘを有する場合、棒材５間の間隔（空隙）Ｓ２は、これら小細片の通過を許容する大きさに設定される。このため、小細片が詰まり防止具２に流入してくると、棒材５間の空隙Ｓ２は排水口１０への流入を許容するようになっている。
【００２８】
一方、上枠４の空隙Ｓ１または棒材５間の間隔Ｓ２は、例えば、障害物Ｄｂが、紙片、合成樹脂製品、缶、壜等の大きい人工由来物や大きい枯葉などの自然由来物であって、口径φｘを有する排水口１０に流入すると、排水口１０を塞いでしまう虞のあるものについては、流入を阻止することができる大きさに設定される。すなわち、本実施例に係る詰まり防止具２では、空隙Ｓ１の大きさと間隔Ｓ２の大きさとをそれぞれ、口径φｘの排水口１０を塞ぐ大きさに基づいて、塞ぐ虞のある大きさの障害物Ｄｂを阻止することができ、塞ぐ虞のない大きさの障害物Ｄｓの通過を許容する大きさに設定している。このため、本実施例に係る詰まり防止具２では、細かい障害物Ｄｓは雨水とともに排水口１０に排出させ、詰まる虞のある大きい障害物Ｄｂのみが排水口１０に流入するのを阻止するようになっている。このため、排水口の周囲に小孔を有するカバーや網を配置して小細片さえ流入を阻止する従来の構造に比べ、排水口１０の回りに障害物が堆積することがなく円滑に雨水を排出することができ、樋や屋外床１１が雨によりオーバーフローすることがない。
【００２９】
次に、上記実施例に係る詰まり防止具２の作用について説明する。上記実施例に係る詰まり防止具２は、脚７が排水口１０に差し入れられて係止されると、下枠６が樋または屋外床１１に接地され、排水口１０の上方に、上枠６内側で枠中心Ｏに交差して放射状に延びる細材３と、外周枠４Ａと、外周枠４Ａと下枠６間で周方向に沿って等間隔で配置された棒材５とにより囲いが形成される。このため、排水口１０を塞いでしまう虞のある大きさの障害物Ｄｂ（例えば、紙片、合成樹脂製品、缶、壜等）が流入してくると、この障害物Ｄｂをブロックし、排水口１０への流入を阻止する。一方、排水口１０に流入可能な大きさの障害物Ｄｓ（土、砂、塵埃、腐葉土または枯葉等）が流入してくると、上枠４と棒材５とにより形成された囲いの空隙Ｓ１、Ｓ２を通過し、排水口１０への流入を許容する。このため、これら細かい障害物Ｄｓは詰まり防止具２に堆積することがない。大きい障害物Ｄｂは詰まり防止具２により排水口１０への流入が阻止されて残る。このため、排水口１０は大きい障害物Ｄｂにより塞がれることがない。しかも、たとえ、大きい障害物Ｄｂが詰まり防止具２の周囲に多数集まっていても、排水口１０の上方には、上下枠４、６、および棒材５により外気と通じる空間が常に形成されるので、より細かい障害物Ｄｓは雨水とともに排水口１０に円滑に排出される。また、大きい障害物Ｄｂは詰まり防止具２の周囲に集まるので、点検作業時、発見しやすく取り除き作業が容易になる。
【実施例２】
【００３０】
次に、上記第１の実施例に係る詰まり防止具２の変形例について説明する。変形例に係る詰まり防止具１２は、図４の（Ａ）および（Ｂ）に示すように、棒材１５の長さ寸法Ｌ２を上記実施例に係る詰まり防止具２の棒材５の半分の寸法（Ｌ２＝Ｌ１×１／２、すなわち、５０mm）とした点を除いて上記詰まり防止具２とほぼ同一の構成を有している。つまり、この変形例に係る詰まり防止具１２では、高さがほぼ半分になっているため、例えば、駅舎の樋または屋外床１１と屋根との間が狭隘な場所などの設置場所に制約があっても、屋根を一部切り落とすことなく用いることができる。このため、設置場所に応じて、多種のものから選択して用いることができるようになっている。
【実施例３】
【００３１】
次に、本発明の第２の実施例に係る詰まり防止具２２について説明する。第２の実施例に係る詰まり防止具２２は、図５に示すように、上記第１の実施例に係る詰まり防止具２が、上枠４の外周枠４Ａと下枠６とを円環状に形成しているのに対し、上枠２４の外周枠２４Ａと下枠２６とをほぼ同一形状の四角形（平行四辺形）に形成した点、上枠２４には、細材２３を交差させ外周枠２４Ａの辺に平行に延ばして外周枠２４Ａに接続した点が異なっている。この詰まり防止具２２は、下枠２６に、排水口１０に差し込まれる脚２７が設けられ、排水口１０に差し込まれると、排水路の内壁に圧接するようになっている。
【実施例４】
【００３２】
図６の（Ａ）ないし（Ｃ）はそれぞれ、上枠の変形例を示すもので、図６の（Ａ）では、上枠３４の外周枠３４Ａを正方形に形成し、細材３３を枠中心で交差させて放射状に延ばして外周枠３４Ａに接続したものが示されている。また、図６の（Ｂ）に示す上枠４４では、外周枠４４Ａを正方形に形成し、一方の細材４３Ａを交差させて外周枠４４Ａの辺に平行に延ばして外周枠３４Ａに接続するとともに、他方の細材４３Ｂを枠中心で交差させて放射状に延ばして外周枠３４Ａに接続している。さらに、図６の（Ｃ）に示す上枠５４では、外周枠５４Ａを正多角形（正六角形）に形成し、細材５３を枠中心で交差させて放射状に延ばして外周枠５４Ａに接続している。
【００３３】
なお、上記各実施例では、脚を下枠に等間隔に設けられた４本の脚部から構成しているがこれに限られるものではなく、折曲されて弾発復帰可能に形成され、排水口に差し込まれると、排水路の内壁に圧接するよう構成されるものであれば、脚部の本数や形状に限定されるものではない。
【符号の説明】
【００３４】
２  詰まり防止具
１０  排水口
１１  樋または屋外床
φｘ  排水口の口径
Ｓ１  上枠の空隙
Ｓ２  棒材間の間隔
【図１】
2011017128.tif 000003
【図３】
2011017128.tif 000004
【図４】
2011017128.tif 000005
【図５】
2011017128.tif 000006
【図６】
2011017128.tif 000007
【図２】
2011017128.tif 000008